(57)【要約】【課題】１つの系統図上で機器シンボルの有無の切替え表示を可能とし、かつ機器の充停電情報を正しく表示可能とすることにより、監視性能の向上を図ると同時に、系統図の作成とメンテナンスに要する作業の軽減化を実現して、優れた経済性を獲得できる電力系統監視装置及びその方法を提供する。【解決手段】系統図情報記録部３１は系統図情報４１を記録する。また、系統図表示制御部３３は、系統図情報記録部３１の記録した系統図情報４１と、充停電状態情報作成部３２の作成した充停電状態情報４４とを組み合わせて系統図表示装置５１に表示する。【選択図】図１
2009153232.tif 000002
【特許請求の範囲】
【請求項１】
電力系統を構成する設備機器を系統図上に表示し、電力系統を監視する電力系統監視装置において、
前記設備機器に対して、機器シンボルあり或いは機器シンボルなしという系統図情報を記録する系統図情報記録手段と、
表示対象の設備機器に係わる系統状態情報と、前記設備機器が接続される母線および当該母線の充電状態判定用の電圧閾値をあらかじめ設定した充停電判定条件情報と、前記系統図情報記録手段に記録されている前記系統図情報とを組み合わせて充停電状態情報を作成する充停電状態情報作成手段と、
前記系統図情報記録手段に記録された系統図情報と前記充停電状態情報作成手段にて作成された前記設備機器の充停電状態情報とを組み合わせて前記系統図上に表示制御する系統図表示制御手段と、
前記系統図を表示する系統図表示手段、を備えたことを特徴とする電力系統監視装置。
【請求項２】
前記充停電状態情報作成手段には、
前記充停電判定条件情報と前記系統状態情報のうちの母線の電圧値情報から、基準とする母線の電圧が閾値以上であれば、その基準母線は充電状態であると判定する基準母線充停電判定手段と、
前記基準母線充停電判定手段の判定結果に基づいて、前記基準母線に接続する開閉器について前記系統図情報を用いて探索する接続設備探索手段と、
前記接続設備探索手段の探索結果に従い、前記系統状態情報のうちの開閉器の開閉状態情報より基準母線に接続する開閉器の入切状態を取得して、その状態が「入」であれば、当該開閉器を充電状態、「切」であれば停電状態と判定する開閉器充停電判定手段、が設けられたことを特徴とする請求項１に記載の電力系統監視装置。
【請求項３】
前記設備機器の開閉状態を記録する系統状態情報記録手段と、
前記系統状態情報記録手段の記録した前記設備機器の開閉状態と、あらかじめ設定された電圧閾値とから、前記周辺機器の充停電状態を判定する基準母線用充停電状態判定手段、を備えたことを特徴とする請求項１又は２に記載の電力系統監視装置。  
【請求項４】
前記機器シンボルありの場合の表示データと、前記機器シンボルなしの場合の表示データを作成する系統図情報作成手段と、
前記機器シンボルありの場合の表示データと、前記機器シンボルなしの場合の表示データを切り替える表示データ切替手段、を備えたことを特徴とする請求項１〜３のいずれか１項に記載の電力系統監視装置。  
【請求項５】
前記系統図情報作成手段によって作成される機器シンボルなしの表示データが、直線状の図形データであることを特徴とする請求項１〜４のいずれか１項に記載の電力系統監視装置。
【請求項６】
電力系統を構成する設備機器を系統図上に表示し、電力系統を監視する電力系統監視方法において、
前記設備機器に対して、機器シンボルあり或いは機器シンボルなしという系統図情報を記録する系統図情報記録ステップと、
表示対象の設備機器に係わる系統状態情報と、前記設備機器が接続される母線および当該母線の充電状態判定用の電圧閾値をあらかじめ設定した充停電判定条件情報と、前記系統図情報記録ステップにて記録された前記系統図情報とを組み合わせて充停電状態情報を作成する充停電状態情報作成ステップと、
前記系統図情報記録ステップにて記録された系統図情報と前記充停電状態情報作成ステップにて作成された前記設備機器の充停電状態情報とを組み合わせて前記系統図上に表示制御する系統図表示制御ステップと、
前記系統図を表示する系統図表示ステップ、を含むことを特徴とする電力系統監視方法。
【発明の詳細な説明】
【技術分野】
【０００１】
本発明は、電力系統を構成する設備機器を系統図上に表示して監視する電力系統監視技術に係り、特に、各設備機器のシンボル表示と、当該設備機器の充停電情報の表示を組み合わせて表示可能な電力系統監視装置及びその方法に関するものである。
【背景技術】
【０００２】
一般に、電力系統を構成する設備機器およびその状態を、系統図として表示する電力系統監視技術が広く用いられている。この技術では、設備機器の多様な状態を一目で把握できるため、電力系統の監視に有効であり、優れた視認性を持つことが重要である。したがって、電力系統監視技術の分野では視認性の向上を図るべく、様々な機能が付与されている。
【０００３】
例えば、開閉器のシンボルを機器毎に表示したり、特定の機器のシンボルを非表示としたりと、切り替える技術や、複数の機器をグループ化しそのグループに対して代表シンボルを設定し、代表シンボルのみを表示する技術などが知られている。より具体的な技術としては、特許文献１等が提案されている。この技術は、表示画面を拡大・縮小しても良好な視認性を保つようにしたものである。
【０００４】
ここで、従来の電力系統監視装置による系統図表示の一例を図８（ａ）、（ｂ）に示す。送電線に２台の開閉器が接続された系統図を表示する場合には、図８（ａ）に示すように、送電線シンボル１１上の所定位置に第１の開閉器（断路器）のシンボル１２（円状）、第２の開閉器（遮断器）のシンボル１３（四角状）を重ねて表示する。一方、開閉器（断路器）シンボル１２の表示が不要な場合はこれを非表示とすることができる（図８（ｂ）参照）。
【特許文献１】特開平１１−７３２９２号公報
【発明の開示】
【発明が解決しようとする課題】
【０００５】
しかしながら、従来の電力系統監視技術には、次のような問題点があった。すなわち、１つの系統図上で複数の設備機器シンボルの表示あり・表示なしを切替える場合に、送電線シンボル上に重ねた設備機器シンボルを非表示したとする。このとき、当該機器が「切」の状態で且つその両側の充停電状態が異なると仮定すると、本来は、片端が充電状態、相手端が停電状態というように表示されなくてはならないにも関わらず、その状態を正しく表示することができなかった。
【０００６】
そこで、機器シンボルの表示ありとした系統図と、機器シンボルの表示なしとした系統図という２種類の系統図を作成し、２つの系統図を切替えて表示することが考えられる。しかし、このようなケースでは、系統図の変更に際して、２つの系統図に対して変更を行わなければならなくなる。したがって、系統図の作成作業が面倒となるだけではなく、変更時のメンテナンス作業量も多くなり、経済的に不利となる不具合が生じた。
【０００７】
本発明は、上記２つの問題を同時に解決するために提案されたものであり、１つの系統図上で機器シンボルの有無の切替え表示を可能とし、かつ機器の充停電情報を正しく表示可能とすることにより、監視性能の向上を図ると同時に、系統図の作成とメンテナンスに要する作業の軽減化を実現して、優れた経済性を獲得できる電力系統監視装置及びその方法を提供することを目的としている。
【課題を解決するための手段】
【０００８】
上記目的を達成するために、本発明は、電力系統を構成する設備機器を系統図として表示し、電力系統を監視する電力系統監視装置において、前記設備機器に対して、機器シンボルあり或いは機器シンボルなしという系統図情報を記録する系統図情報記録手段と、表示対象の設備機器に係わる系統状態情報と、前記設備機器が接続される母線および当該母線の充電状態判定用の電圧閾値をあらかじめ設定した充停電判定条件情報と、前記系統図情報記録手段に記録されている前記系統図情報とを組み合わせて充停電状態情報を作成する充停電状態情報作成手段と、前記系統図情報記録手段に記録された系統図情報と前記充停電状態情報作成手段にて作成された前記設備機器の充停電状態情報とを組み合わせて前記系統図上に表示制御する系統図表示制御手段と、前記系統図を表示する系統図表示手段、を備えたことを特徴とするものである。
【０００９】
このような本発明では、１つの系統図上に設備機器が存在する位置で、機器シンボルありと機器シンボルなしの表示が切替可能であり、設備機器が接続する周辺設備の状態から当該設備機器の充停電状態をあらかじめ判定しておくことにより、機器シンボルあり／なし、どちらの表示であっても、その表示と同時に、設備機器の充停電状態情報を正しく表示することが可能である。しかも、１つの系統図上で、機器シンボル有無の表示の切替えができるため、２種類の系統図は不要となり、系統図の作成作業や、系統図変更時のメンテナンス作業を軽減化することができる。
【発明の効果】
【００１０】
以上に述べたように、本発明の電力系統監視装置及びその方法によれば、系統図情報記録手段に記録された系統図情報と、充停電状態情報作成手段にて作成された設備機器の充停電状態情報とを組み合わせて系統図上に表示することにより、１つの系統図上で機器シンボルあり又は機器シンボルなしの表示切替えが可能であり、かつ当該機器の充停電状態を正しく表示できるので、優れた監視性能を発揮することができ、しかも、系統図の作成とメンテナンスに要する作業を軽減化できるので、経済性の向上に寄与することができた。
【発明を実施するための最良の形態】
【００１１】
［代表的な実施形態の構成］
以下に本発明に係る代表的な実施形態について、図１〜図７を参照して具体的に説明する。図１は本実施形態の構成図、図２は本実施形態による系統図表示の一例を示す図である。ここでは、電力系統監視装置が、送電線に２台の開閉器が接続された系統図を示す場合を例にして説明する。
【００１２】
図１に示すように、本実施形態には、系統図情報記録部３１、充停電状態情報作成部３２、系統図表示制御部３３及び系統図表示装置５１が設けられている。系統図情報記録部３１は系統図情報４１を記録する部分である。また、系統図表示制御部３３は、系統図を系統図表示装置５１に表示制御する部分であって、系統図情報記録部３１の記録した系統図情報４１と、充停電状態情報作成部３２の作成した充停電状態情報４４とを組み合わせて表示する点に特徴がある。
【００１３】
系統図情報記録部３１の記録する系統図情報４１としては、図２（ａ）、（ｂ）に示すような送電線シンボル２１、第１の開閉器シンボル２２、線シンボル２３および第２の開閉器シンボル２４が定義されており、これらの表示情報と、個々の設備がお互いにどの設備と接続するかといった情報とが系統図情報記録部３１に格納されている。
【００１４】
さらに、第１の開閉器シンボル表示ありの場合には開閉器シンボル２２を表示（図２（ａ）に図示）する旨の情報が、系統図情報４１として、系統図情報記録部３１に格納されている。また、開閉器シンボル表示なしの場合は線シンボル２３を表示（図２（ｂ）に図示）する旨の情報が、系統図情報４１として、系統図情報記録部３１に格納されている。
【００１５】
ここで系統図情報４１の構成例を図３に示す。図３内での設備Ｘ、設備Ｙは、図２においては説明の簡略化のため省略しているが、設備Ｘは送電線について開閉器１とは反対側で接続する設備を指し、設備Ｙは開閉器２について開閉器１とは反対側で接続する設備を指すものである。
【００１６】
充停電状態情報作成部３２は、充停電判定条件情報４２及び系統状態情報４３を取り込み、設備機器の充停電状態情報４４を作成する部分である。より詳しくは、充停電状態情報作成部３２は、表示対象である電力系統に含まれる開閉器の状態の変化に関する情報を、系統状態情報４３から取得し、変化がある毎に系統図情報４１、充停電判定条件情報４２と合わせて充停電状態情報４４を作成するようになっている。
【００１７】
充停電判定条件情報４２とは、充停電状態情報を作成するために、基準とする母線と、その充電状態を判定する電圧の閾値を定義した情報である。この充停電判定条件情報４２の構成例を図４に示す。系統状態情報４３とは、電力系統の各設備機器の電気量や開閉状態に関する情報であり、具体的には、開閉器の開閉状態情報４３−２や母線の電圧値情報４３−１である（図５、図６参照）。  
【００１８】
このような充停電状態情報作成部３２の構成について、図６を用いてさらに詳しく説明する。すなわち、図６に示すように、充停電状態情報作成部３２には、基準母線充停電判定部３４、接続設備探索部３５、開閉器充停電判定部３６が設けられている。このうち、基準母線充停電判定部３４は、充停電判定条件情報４２と系統状態情報４３のうちの母線の電圧値情報４３−１から、基準とする母線の電圧が閾値以上であれば、その基準母線は充電状態であると判定し、充電状態基準母線情報４５を出力する。また、基準母線の電圧が、閾値以下であれば、その基準母線は停電状態であると判定する。
【００１９】
また、接続設備探索部３５は、基準母線充停電判定部３４から充電状態基準母線情報４５を取り込み、この基準母線に接続する開閉器について系統図情報４１を用いて探索して、基準母線接続開閉器情報４６を出力する部分である。さらに、開閉器充停電判定部３６は、接続設備探索部３５から基準母線接続開閉器情報４６を取り込むと共に、系統状態情報４３のうちの開閉器の開閉状態情報４３−２より基準母線に接続する開閉器の入切状態を取得し、その状態が「入」であれば、当該開閉器を充電状態、「切」であれば停電状態と判定するようになっている。
【００２０】
［代表的な実施形態の作用］
以上のような構成を有する本実施形態は、次のようにして系統図を表示する。すなわち、図１において、系統図情報記録部３１に系統図情報４１を記録する（系統図情報記録ステップ）。充停電状態情報作成部３２は、表示対象の電力系統に含まれる開閉器の状態の変化に関する情報を系統状態情報４３から取得し、変化がある毎に系統図情報４１、充停電判定条件情報４２と合わせて充停電状態情報４４を作成する（充停電状態情報作成ステップ）。
【００２１】
このような充停電状態情報作成ステップについて、図６を参照して、より詳しく説明する。まず、電力系統に含まれる全設備機器の初期値を停電状態とする。この状態で、基準母線充停電判定部３４が、充停電判定条件情報４２と系統状態情報４３のうちの母線の電圧値情報４３−１から、基準母線の電圧が閾値以上であれば、当該基準母線は充電状態であると判定し、充電状態基準母線情報４５を出力する。一方、基準母線の電圧が閾値以下であれば、基準母線充停電判定部３４は、当該基準母線が停電状態であると判定する（基準母線充停電状態判定ステップ）。
【００２２】
続いて、接続設備探索部３５が、充電状態基準母線情報４５に基づき、この基準母線に接続する開閉器に関して、系統図情報４１を用いて探索し（接続設備探索ステップ）、開閉器充停電判定部３６は、基準母線接続開閉器情報４６並びに系統状態情報４３のうちの開閉器の状態情報４３−２より基準母線に接続する開閉器の入切状態を取得し、その状態が「入」であれば、当該開閉器を充電状態、「切」であれば停電状態と判定する（開閉器充停電状態判定ステップ）。
【００２３】
次に、「入」であると判定された開閉器に絞り、その開閉器に接続する周辺設備に関して接続設備探索部３５が系統図情報４１を用いて探索し、開閉器充停電充判定部３６がその設備を充電状態とする。
【００２４】
さらに、その設備に接続する開閉器を探索し、上記と同様の充停電状態判定を行う。このような「基準機器の充停電判定」、「機器の探索」、「探索した機器の充停電判定」というステップを繰り返していき、系統図を構成する全ての開閉器に対して、充停電状態情報４４を作成し、保存する。ここで、充停電状態情報４４の構成例を図７に示す。
【００２５】
系統図を構成する全ての開閉器に関して充停電状態情報４４を作成した後、系統図表示制御部３３が、系統図情報記録部３１の記録した系統図情報４１と、充停電状態情報作成部３２の作成した充停電状態情報４４とを組み合わせて、系統図表示装置５１に表示することができる（系統図表示制御ステップ）。
【００２６】
すなわち、系統図表示部３３により、第１の開閉器の位置を開閉器シンボル２２として系統図表示装置５１へ出力することで、系統図表示装置５１は、系統図を開閉器シンボル２２ありで表示する（系統図表示ステップ）。また、系統図表示部３３により、第１の開閉器の位置を線シンボル２３として系統図表示装置５１へ出力すれば、系統図表示装置５１は開閉器シンボルなしで表示する（系統図表示ステップ）。
【００２７】
なお、開閉器シンボル２２を表示するときは系統状態情報４３より入／切の開閉状態を、線シンボル２３を表示するときは表示充停電状態情報４４より充停電状態を、それぞれシンボル２２、２３に対して、所定の色付けを行った上で、系統図表示装置５１へ出力し、系統図表示装置５１がこれを表示している。
【００２８】
［代表的な実施形態の効果］
以上述べたように、本実施形態によれば、１つの系統図上に設備機器が存在する位置で、機器シンボルありである開閉器シンボル２２と、機器シンボルなしである線シンボル２３の表示を切替可能であるだけではなく、開閉器が接続する設備機器の充停電状態から、当該開閉器の充停電状態をあらかじめ判定しておくことで、機器シンボルあり／なし、どちらの表示であっても、その表示と同時に、当該開閉器の充停電状態情報を正しく表示することが可能である。さらに、本実施形態では、１つの系統図上で、機器シンボル有無の表示の切替えができるため、２種類の系統図を作成する必要がなく、作成作業や、系統図変更時のメンテナンス作業を軽減化することができ、経済的に有利である。
【００２９】
［他の実施形態］
本発明は、上述した実施形態に限定されるものではなく、各設備機器の表示データは適宜選択可能であり、機器シンボルのあり／なしの場合の表示データについても、形状や色などによる識別は適宜変更可能である。
【００３０】
また、機器シンボルの有無を含めて機器の表示データを作成する系統図情報作成手段を独立して設け、さらに機器シンボルありの場合の表示データと、機器シンボルなしの場合の表示データを切り替える表示データ切替手段を備えた実施形態も包含する。このような実施形態によれば、機器シンボル有無の表示変更を迅速且つ容易に実施でき、監視効率の向上を図ることができる。
【図面の簡単な説明】
【００３１】
【図１】本発明の代表的な実施形態の構成図。
【図２】本実施形態での系統図表示を示す図であり、（ａ）は開閉器シンボルの表示状態、（ｂ）は開閉器の線シンボルの表示状態を示す。
【図３】本実施形態における系統図情報の構成例を示す図。
【図４】本実施形態における充停電判定条件情報の構成例を示す図。
【図５】本実施形態における系統状態情報の構成例を示す図。
【図６】本実施形態における充停電状態作成部の構成図。
【図７】本実施形態における充停電状態情報の構成例を示す図。
【図８】一般的な電力系統監視装置での系統図表示を示す図であり、（ａ）は開閉器シンボルの表示状態、（ｂ）は開閉器シンボルの非表示状態を示す。
【符号の説明】
【００３２】
１１、２１…送電線シンボル
１２、２２…第１の開閉器のシンボル
１３、２４…第２の開閉器のシンボル
２３…線シンボル
３１…系統図情報記録部
３２…充停電状態作成部
３３…系統図表示制御部
３４…基準母線充停電判定部
３５…接続設備探索部
３６…開閉器充停電充判定部
４１…系統図情報
４２…充停電判定条件情報
４３…系統状態情報
４３−１…母線の電圧値情報
４３−２…開閉器の開閉状態情報
４４…充停電状態情報
４５…充電状態基準母線情報
４６…基準母線接続開閉器情報
５１…系統図表示装置
【図１】
2009153232.tif 000003
【図２】
2009153232.tif 000004
【図３】
2009153232.tif 000005
【図４】
2009153232.tif 000006
【図５】
2009153232.tif 000007
【図６】
2009153232.tif 000008
【図７】
2009153232.tif 000009
【図８】
2009153232.tif 000010